(57)【要約】      （修正有）【課題】ノート型パソコン、タブレット、スマホを使用する場合であっても、使用者の猫背姿勢を改善させると共に、学習、読書や筆記の作業を適切な姿勢で行わせる木製卓上型傾斜調整可能な学習作業台を提供する。【解決手段】机上に置いて使用する卓上型学習作業台１であって、机上面に対して学習・作業を適切な傾斜面で可能になる天板表面４で、天板表面の手前側部８と奥部にそれぞれ彫り込み溝部６と掘り込み溝貫通部７を設けた天板部２と、天板部の傾斜を手前側が奥側よりも低くなるように８〜１５°の傾斜角に調節できるアジャスター５付き傾斜調整台部３を天板部の裏面に付設させて、特定の形状および材料において全体重量を２ｋｇ以下にして軽量化と可搬式になっている。【選択図】図２
0003234737.tif 000002
【実用新案登録請求の範囲】
【請求項１】
机上に置いて使用する卓上型学習作業台であって、前記机上面に対して学習・作業を適切な傾斜面で可能になる天板表面で、前記天板表面の手前部と奥部にそれぞれ彫り込み溝部と掘り込み溝貫通部を設けた天板部と、前記天板部の傾斜を手前側が奥側よりも低くなるように８〜１５°の傾斜角に調節できるアジャスター付き傾斜調整台部を天板部の裏面に付設させて、特定の形状および材料において全体重量を２ｋｇ以下にして軽量化と可搬式になっていることを特徴とする木製卓上型傾斜調整可能な学習作業台。
【請求項２】
、
前記傾斜面の天板部の手前側部と奥側先端部にそれぞれ細長の彫り込む溝部と掘り込み貫通部は、手前側の彫り込み溝部部に筆記具を置く固定溝にして、奥側先端の掘り込み溝貫通部にタブレット、スマートフォン、書籍を立着することができるような掘り込み二段式溝構造で、手前側の溝部には幅１０〜１５ｍｍ、深さ８〜１２ｍｍの湾曲状の溝部である彫り込き溝部を設けている天板表面になり、表面全体に滑り止め処理した面にしていることを特徴とする請求項１に記載の木製卓上型傾斜調整可能な学習作業台。
【請求項３】
前記天板部は、無垢板、ＭＤＦ材、パーティクル材、合成材から選ばれた厚さ１５〜２５ｍｍ、幅４００〜７００ｍｍ、奥行き４００〜６００ｍｍであって、奥側先端の掘り込み溝貫通部を、可搬用持ち手ともなり、スマートフォン、タブレット、書籍を立て掛ける可能な形状構造にして、溝部の掘り込み幅と深さを調整して、溝貫通部の開口の幅１０〜２０ｍｍ、長さ５０〜２００ｍｍで、溝部と貫通部を持つ二段式構造にして、前記机上面との接地部位の左右両側に、滑り止め用部材が備えられていることを特徴とする請求項１、又は請求項２に記載の木製卓上型傾斜調整可能な学習作業台。
【請求項４】
天板の裏面に付設させたアジャスター付き傾斜調整台部は、厚さ２５〜３５ｍｍ、縦幅５０〜８０ｍｍ、横幅４００〜６００ｍｍの細長板であって、前記の傾斜調整台部の厚さ面に高さ３０ｍｍ調整できるアジャスター部を２個横面の両端に取り付けて、傾斜角度を８〜１５°範囲で調整できるようになっていることを特徴とする請求項１〜請求項３のいずれかに記載の木製卓上型傾斜調整可能な学習作業台。
【考案の詳細な説明】
【技術分野】
【０００１】  本考案は、テーブルなど卓上に設置し、その上で作業、勉学を行うにあたり姿勢正しく作業、勉学できる傾斜角度を調整できる木製卓上型傾斜調整可能な学習作業台に関する。
【背景技術】
【０００２】  パソコンが仕事に不可欠となった現代において、内勤者は、一日中パソコンと向き合うことになり、腰痛や肩こりに悩まされている人が増えている。この腰痛や肩こりは、作業中の猫背姿勢に原因があると考えられるが、その原因を解消する対策が取られていないのが現状である。例えば、オフィスや家庭であっても、ノート型パソコンの使用者は、その機器の構造上、物理的に猫背姿勢を強いられる。また、デスクトップ型パソコンの使用者であっても、使用書類をデスク上の手前側に置いて作業を行うことが多いため、キーボードはデスク上奥に置くことになり、結果として、猫背姿勢を強いられることになる。【０００３】開示する卓上型作業台は、ノート型パソコンを使用する場合、及び、デスクトップ型パソコンを使用する場合のどちらの場合であっても、使用者の猫背姿勢を改善させると共に、読書や筆記の作業を適切な姿勢で行わせることができる。卓上型作業台は、天板と、天板を下側から支持する天板支持体と、天板支持体の手前側端部と蝶番で接続される土台部と、を備え、天板が天板支持体上を前後方向に滑動可能であり、蝶番を軸とし天板の傾斜角度が調節可能である、机上に置き天板上で事務作業を行う卓上型作業台であって、天板の傾斜角度を固定する天板角度固定手段と、天板上の載置物が手前側に滑り落ちない様にする、該天板上の手前側端部に設置される天板上凸部と、天板支持体の下方に配置され、キーボードを引出し自在に収納するリストレスト付きキーボード収納手段と、を備えるものが提案されている（特許文献１参照）【０００４】ラップトップ、デスクトップ兼用の軽い書見台をっくる。１枚の段ボール紙を適正な角度をもたせて折り曲げ組み立てた廉価なキット家具として、再生段ボール紙など腰の強い紙を展開形状で打ち抜き、折り曲げ、組み立て完成する書見台家具。書物を適正な角度に設定するように上面に傾斜が付き、下部に書物のすべり止め部分を設け、脚部にはクッション性と風通しを良い台脚がある、１枚の段ボールから作る、卓上と膝の上兼用の書見台が提案されている（特許文献２参照）。【０００５】机の天板の作業面積を減少させずに、机の上に書類キャビネット１台に相当する書類が置くことが出来、電話、パソンコ等を収納することができる机上用の棚として、机の幅とほぼ同じ幅の机上に設ける棚において、最下段の棚が机の天板であり、中段の棚を有し、向かっている机と向かい合っている机の接触部の上部に設けて、接触面と垂直に中央部に仕切板を有し、各棚板と天板に、又は一部の棚板に上下に貫通する孔を設けた机上用棚の提案がある（特許文献３参照）。【０００６】簡単な構成で、使用者が仰向けに寝た状態や横向きに寝た状態でも使用可能なノート型パソコン用台として、第１、第２支持部材はヒンジによって相互に回転可能に連結されている。第１、第２支持部材上にノート型パソコンを開いて載置した状態で、突起部材はノート型パソコンが第１支持部材上から脱落しないように規制する。第３支持部材と一体に設けられたヒンジに接着された面ファスナと、第２支持部材背面に接着された面ファスナとの貼り付け位置を変えることにより、第１、第２支持部材７の相対的角度を変えて、パソコンの角度を調整す���。使用者は仰向けに寝た状態で、パソコンを載せた状態のノート型パソコン用台を自己の胸上に載せてパソコンを操作する台が提案されている（特許文献４参照）。【０００７】見る角度を調節可能なノートＰＣ作業台の提供として、底板とパネルからなり、該底板と該パネル前側はちょうつがいにより連結し、該底板と該パネルの後側には昇降装置を設け、該底板と該パネルの左右両側には伸縮式保護壁を設ける。該パネルの前側には上向きに湾曲するガード板を設けてノートＰＣの設置位置とし、該パネル上には複数の放熱開孔を設ける。後側は昇降式のパネル構造で、モーターなどにより回転駆動される双方向ボルトに嵌合する一対のナットスライドブロック上に立てた一対のスイングアーム先端を連結して長軸を介してパネルを支持する。モーターにより回転する双方向ボルトにより一対のナットスライドブロックは反対方向に移動して先端の高さを変え、適切な高さにパネルを支持するものが提案されている（特許文献５参照）【０００８】  一方で、オフィスワーカーの腰痛や肩こりの原因が猫背姿勢にあるとするならば、事務作業中、背筋を伸ばした後傾姿勢（ニュートラルポジション）を取ることによって、当該腰痛や肩こりの症状を抑えることができる。
他方、上記のようにノート型パソコンの使用感を向上させる技術に関しては技術に種々が提案されているが、木製で簡単な軽量で天板の傾斜角度も調節できるものは存在していない。
【先行技術文献】
【特許文献】
【０００９】
【特許文献１】特開２０１２−１６４０５３号公報
【特許文献２】特開２００２−２０９６４１号公報
【特許文献３】実開平７−５４３２号公報
【特許文献４】特開２０１０−９４６０号公報
【特許文献５】実用新案登録第３１２５６９５号公報
【考案の概要】
【考案が解決しようとする課題】
【００１０】  しかしながら、上記技術においては、ノート型パソコンを使用する場合、及び、デスクトップ型パソコンを使用する場合、食卓テーブル上で学習する場合のどちらの場合であっても、身長、目の高さによって使用者の使用状態が異なり、不適切な状態では勉学、作業を行うことがあり、猫背姿勢になることもあった。この猫背姿勢を改善させ、読書や筆記、作業を適切な姿勢で行わせる環境を機器１台では提供することが難しいという問題点が有った。【００１１】  そこで、本考案では、上記問題点に鑑み、ノート型パソコン・デスクトップ型パソコン、タブレットを使用する作業、あるいは自習、学習のいずれを使用する場合であっても、作業台、学習台の傾斜を変えて使用者の猫背姿勢を改善させると共に、軽量で持ち運びが容易で、勉学、読書や筆記の作業を適切な姿勢で行わせる卓上型学習・作業台を提供することを目的とする。
【課題を解決するための手段】
【００１２】  机上に置いて使用する卓上型学習作業台であって、前記机上面に対して学習・作業を適切な傾斜面で可能になる天板表面で、前記天板表面の手前部と奥部にそれぞれ彫り込み溝部と掘り込み溝貫通部を設けた天板部と、前記天板部の傾斜を手前側が奥側よりも低くなるように８〜１５°の傾斜角に調節できるアジャスター付き傾斜調整台部を天板部の裏面に付設させて、特定の形状および材料において全体重量を２ｋｇ以下にして軽量化と可搬式になっている木製卓上型傾斜調整可能な学習作業台である。【００１３】、
前記傾斜面の天板部の手前側部と奥側先端部にそれぞれ細長の彫り込む溝部と掘り込み貫通部は、手前側の彫り込み溝部部に筆記具を置く固定溝にして、奥側先端の掘り込み溝貫通部にタブレット、スマートフォン、書籍を立着することができるような掘り込み二段式溝構造で、手前側の溝部には幅１０〜１５ｍｍ、深さ８〜１２ｍｍの湾曲状の溝部である彫り込き溝部を設けている天板表面になり、表面全体に滑り止め処理した面にしている。【００１４】前記天板部は、無垢板、ＭＤＦ材、パーティクル材、合成材から選ばれた厚さ１５〜２５ｍｍ、幅４００〜７００ｍｍ、奥行き４００〜６００ｍｍであって、奥側先端の掘り込み溝貫通部を、可搬用持ち手ともなり、スマートフォン、タブレット、書籍を立て掛ける可能な形状構造にして、溝部の掘り込み幅と深さを調整して、溝貫通部の開口の幅１０〜２０ｍｍ、長さ５０〜２００ｍｍで、溝部と貫通部を持つ二段式構造にして、前記机上面との接地部位の左右両側に、滑り止め用部材が備えられている。【００１５】天板の裏面に付設させたアジャスター付き傾斜調整台部は、厚さ２５〜３５ｍｍ、縦幅５０〜８０ｍｍ、横幅４００〜６００ｍｍの細長板であって、前記の傾斜調整台部の厚さ面に高さ３０ｍｍ調整できるアジャスター部を２個横面の両端に取り付けて、傾斜角度を８〜１５°範囲で調整できるようになっている。
【考案の効果】
【００１６】ノート型パソコン、タブレットを使用する作業、あるいは自習、学習のいずれを使用する場合であっても、作業台、学習台の傾斜を変えて使用者の猫背姿勢を改善させると共に、軽量で持ち運びが容易で、勉学、読書や筆記の作業を適切な姿勢で行わせる卓上型学習・作業台を提供できるようになった。また開示する木製卓上型傾斜調整可能な学習作業台は、パソコン、タブレット、スマホのいずれを使用する場合であっても、使用者の猫背姿勢を改善させると共に、読書や筆記の作業を適切な姿勢で行わせる。
【図面の簡単な説明】
【００１７】
【図１】木製卓上型傾斜調整可能な学習作業台の斜視図である。
【図２】木製卓上型傾斜調整可能な学習作業台の表面・裏面の図である。Ａ：表面図  Ｂ：裏面図
【図３】木製卓上型傾斜調整可能な学習作業台の側面図である。
【図４】木製卓上型傾斜調整可能な学習作業台のタブレット使用例を示す図である。
【図５】木製卓上型傾斜調整可能な学習作業台のアジャスター付き傾斜調整台部状態図である。
【図６】木製卓上型傾斜調整可能な学習作業台の天板部の表面の掘り込み溝の図である。Ａ：掘り込み二段式溝構造（彫り込き溝部）タブレット置き  Ｂ：掘り込み溝の全体
【図７】木製卓上型傾斜調整可能な学習作業台の高さ調整時の状態図である。Ａ：アジャストの調整状態  Ｂ：天板の傾斜の状態
【考案を実施するための形態】
【００１８】  図面を参照しながら、本考案を実施するための形態について説明する。
（本実施の形態に係る卓上型作業台の構造）
【実施例１】
【００１９】  図１に示すように、無垢板の厚さ２０ｍｍ、幅４５０ｍｍ、奥行き４００ｍｍの天板を斜傾して、机上に置いて使用する卓上型学習作業台であって、通常の机上面に対して学習・作業を適切な傾斜面での使用が可能で、木質の香りと温もりを木材の天板表面で、前記天板表面の手前部と奥部にそれぞれ彫り込む溝部と掘り込み溝貫通部を設けた天板部と、前記天板部の傾斜を手前側が奥側よりも低くなるような傾斜角に調節できるアジャスター付き傾斜調整台部を天板部の裏面に付設させて、特定の形状および材料において全体重量を２ｋｇ以下にして軽量化と簡単に持ち運びやすい可搬式になっている持ち手付の木製卓上型傾斜調整可能な学習作業台にした。【００２０】図２Ａに示すよう前記傾斜面の天板部の手前側部と奥側先端部にそれぞれ細長の彫り込む溝部と掘り込み貫通部は、手前側の彫り込む溝部部に筆記具を置く固定溝にして、奥側先端の掘り込み溝貫通部にタブレット、スマートフォン、書籍を立着することができるような、幅２０ｍｍ、深さ１０ｍｍ、長さ４００ｍｍで、中心部１００ｍｍの長さで貫通させた掘り込み二段式溝構造にしており、天板表面には滑り止め加工した面にし、しかも最下部に筆記具を置く幅１０ｍｍ、深さ１０ｍｍの湾曲状の溝部である彫り込き溝部を設けた。【００２１】図６Ａに示すように、無垢板の厚さ２０ｍｍ、幅４５０ｍｍ、奥行き４００ｍｍである前記天板部は、、奥側先端の掘り込み溝貫通部を、可搬用持ち手ともなり、スマートフォン、タブレット、書籍を立て掛ける可能な形状構造にして、溝貫通部の掘り込み深さを手前部と奥部で異なるようにして、溝貫通口の幅１０ｍｍ、深さ１０ｍｍで、中心部に溝貫通として半分口幅で貫通させている構造にして、前記机上面との接地部位の左右両側に、滑り止め用部材を備えた。【００２２】図２Ｂ、及び図７ＡＢに示すように、天板の裏面に付設させたアジャスター付き傾斜調整台部は、厚さ３５ｍｍ、縦幅６０ｍｍ、横幅４００ｍｍの細長板であって、天板の裏面に丁番で固着した。前記の傾斜調整台部の厚さ面に高さ３０ｍｍ調整できるアジャスター部を２個横面の両端に取り付けて、傾斜角度を８〜１５°範囲で調整できるようにした。
図４に示すように、重量１．８ｋｇである木製卓上型傾斜調整可能な学習作業台を食卓テーブルの上に設置して、天板にタブレットを置いて日頃の学習に活用された。
【実施例２】
【００２３】  図１に示すように、無垢板の厚さ２０ｍｍ、幅５００ｍｍ、奥行き４５０ｍｍの天板を斜傾して、机上に置いて使用する卓上型学習作業台であって、通常の机上面に対して学習・作業を適切な傾斜面での使用が可能で、木質の香りと温もりを木材の天板表面で、前記天板表面の手前部と奥部にそれぞれ彫り込む溝部と掘り込み溝貫通部を設けた天板部と、前記天板部の傾斜を手前側が奥側よりも低くなるような傾斜角に調節できるアジャスター付き傾斜調整台部を天板部の裏面に付設させて、特定の形状および材料において全体重量を２ｋｇ以下にして軽量化と簡単に持ち運びやすい可搬式になっている持ち手付の木製卓上型傾斜調整可能な学習作業台にした。【００２４】図２Ａに示すよう前記傾斜面の天板部の手前側部と奥側先端部にそれぞれ細長の彫り込む溝部と掘り込み貫通部は、手前側の彫り込む溝部部に筆記具を置く固定溝にして、奥側先端の掘り込み溝貫通部にタブレットを立着することができるような、幅２３ｍｍ、深さ１５ｍｍ、長さ４２０ｍｍで、中心部１２０ｍｍの長さで貫通させた掘り込み二段式溝構造にしており、天板表面には滑り止め加工した面にし、しかも最下部に筆記具を置く幅１０ｍｍ、深さ１０ｍｍの湾曲状の溝部である彫り込き溝部を設けた。【００２５】図６Ａに示すように、ＭＤＦ材の厚さ２０ｍｍ、幅５００ｍｍ、奥行き４５０ｍｍである前記天板部は、、奥側先端の掘り込み溝貫通部を、可搬用持ち手ともなり、タブレットを立て掛ける可能な形状構造にして、溝貫通部の掘り込み深さを手前部と奥部で異なるようにして、溝貫通口の幅１２ｍｍ、深さ１２ｍｍで、中心部に溝貫通として半分口幅で貫通させている構造にして、前記机上面との接地部位の左右両側に、滑り止め用部材を備えた。【００２６】図２Ｂ、及び図７ＡＢに示すように、天板の裏面に付設させたアジャスター付き傾斜調整台部は、厚さ３５ｍｍ、縦幅６０ｍｍ、横幅４００ｍｍの細長板であって、天板の裏面に丁番で固着した。前記の傾斜調整台部の厚さ面に高さ３０ｍｍ調整できるアジャスター部を２個横面の両端に取り付けて、傾斜角度を８〜１５°範囲で調整できるようにした。
図４に示すように、２ｋｇの重量である木製卓上型傾斜調整可能な学習作業台を食卓テーブルの上に設置して、天板にタブレットを置いてリモート業務に活用された。
【実施例３】
【００２７】実施例１と同様に、机上に置いて使用する卓上型学習作業台であって、前記机上面に対し、作業・勉学を適切な傾斜面を有する天板部と、前記天板部の傾斜を手前側が奥側よりも低くなるように８〜１５°の傾斜角に調節できるアジャスター付き傾斜調整台部を裏面に付設させて、天板部表面の手前部と奥部にそれぞれ彫り込き溝部と掘り込み貫通部を設けて、全体重量を２ｋｇ以下になっている木製卓上型傾斜調整可能な学習作業台であった。【００２８】前記傾斜面の天板部の手前側部と奥側先端部にそれぞれ細長の彫り込き溝部と掘り込み貫通部は、手前側の彫り込き溝部部に筆記具を置く固定溝にして、奥側先端の掘り込み貫通部にスマートフォン、書籍を立着することができるような掘り込み二段式溝構造にしており、天板表面には滑り止め加工した面にした。【００２９】  前記天板部は、厚さ１５ｍｍ、幅４００ｍｍ、奥行き４００ｍｍであって、奥側先端の掘り込み貫通部にスマートフォン、書籍を立て掛ける可能な構造で溝の掘り込み深さが手前と奥で異なり、全体で溝口幅の半分幅状態で貫通している構造になって、前記机上面との接地部位の左右両側に、滑り止め用部材が備えた。【００３０】天板の裏面に付設させたアジャスター付き傾斜調整台部は、厚さ３５ｍｍ、縦幅５０ｍｍ、横幅４００ｍｍの細長板であって、前記の傾斜調整台部の厚さ面に高さ３０ｍｍ調整できるアジャスターを２個横幅の両隅に取り付けて、傾斜角度を８〜１５°調整できた。重量１．６ｋｇである木製卓上型傾斜調整可能な学習作業台を食卓テーブルの上に設置して、天板にタブレットを置いて日頃の児童の学習に活用された。
【符号の説明】
【００３１】１．木製卓上型傾斜調整可能な学習作業台
２．天板部
３．アジャスター付き傾斜調整台部
４．天板表面
５．アジャスター
６．彫り込き溝部
７．掘り込み溝貫通部
８．手前側部
９．奥側先端部
１０．タブレット、スマートフォン
１１．書籍、ノート
１２．机  テーブル
１３．筆記具
１４．掘り込み溝
１５．傾斜面
１７．掘り込み二段式溝構造
１８．丁番
【図１】
0003234737.tif 000003
【図２】
0003234737.tif 000004
【図３】
0003234737.tif 000005
【図４】
0003234737.tif 000006
【図５】
0003234737.tif 000007
【図６】
0003234737.tif 000008
【図７】
0003234737.tif 000009